(57)【要約】【課題】ユーザが今すぐに入れる店を検索することができるサービスを実現することである。【解決手段】上記サービスを提供するプロバイダのシステムを使用する。本システムは、ユーザのシステムから受信した店検索情報を記憶する。また、店のシステムから客検索情報を受信したときに、第１の店検索情報が記憶されていた場合、前記第１の店検索情報を返信する。本システムは、同じ店のシステムから繰り返し客検索情報を受信し、受信した前記客検索情報が示す条件は、前記第１の店検索情報が示す条件を含む。更に、本システムは、店のシステムから受信した店応答を記憶し、ユーザのシステムから店検索結果要求を受信したときに、第１の店応答が記憶されていた場合、前記第１の店応答等を返信する。本システムは、同じユーザのシステムから繰り返し店検索結果要求を受信し、受信した前記店検索結果要求は、前記第１の店応答に対応する。【選択図】図２
2012181713.tif 000002
【特許請求の範囲】
【請求項１】
ユーザのシステムから受信した、場所と人数と時刻とを示す店検索情報を記憶する店検索情報記憶手段と、
店情報を記憶する店情報記憶手段と、
店のシステムから人数の範囲と時間とを示し店を識別する客検索情報を受信したときに、前記店検索情報記憶手段に第１の店検索情報が記憶されていた場合、前記第１の店検索情報を返信する店検索情報受信手段であって、前記店検索情報受信手段は同じ店のシステムから繰り返し客検索情報を受信し、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、手段と、
店のシステムから受信した、店検索情報を識別する店応答を記憶する店応答記憶手段と、
ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信する店検索結果要求受信手段であって、前記店検索結果要求受信手段は同じユーザのシステムから繰り返し店検索結果要求を受信し、受信した前記店検索結果要求が識別する店検索情報は、前記第１の店応答が識別する店検索情報と一致する、手段と
を備えた、プロバイダのシステム。
【請求項２】
前記プロバイダのシステムは、
ユーザのシステムからユーザを識別する店検索履歴要求を受信したときに、前記店検索情報記憶手段に第２の店検索情報が記憶されていた場合、前記第２の店検索情報を返信する店検索履歴要求受信手段であって、店検索情報はユーザを更に識別し、受信した前記店検索履歴が識別するユーザは、前記第２の店検索情報が識別するユーザと一致する、手段
を更に備え、
店検索情報は場所を示す緯度経度を示す情報又は駅名を示す情報を含み、前記店検索情報記憶手段は、緯度経度を示す情報を含む店検索情報を記憶する第１の店検索情報記憶手段と、駅名を示す情報を含む店検索情報を記憶する第２の店検索情報記憶手段と、緯度経度を示す情報を含む店検索情報及び駅名を示す情報を含む店検索情報を記憶する第３の店検索情報記憶手段と含み、前記客検索情報受信手段は、前記客検索情報を受信したときに前記第１の店検索情報記憶手段及び前記第２の店検索情報記憶手段にアクセスし、前記店検索履歴要求受信手段は、前記店検索履歴要求を受信したときに前記第３の店検索情報記憶手段にアクセスする、請求項１に記載のプロバイダのシステム。
【請求項３】
前記プロバイダのシステムは、
店のシステムから店を識別する店返信履歴要求を受信したときに、前記店応答記憶手段に第２の店応答が記憶されていた場合、前記第２の店応答を返信する店返信履歴要求受信手段であって、店応答は店を更に識別し、受信した前記店返信履歴要求が識別する店は、前記第２の店応答が識別する店と一致する、手段
を更に備え、
前記店応答記憶手段は第１の店応答記憶手段と第２の店応答記憶手段とを含み、店応答は前記第１の店応答記憶手段及び前記第２の店応答記憶手段に記憶され、前記店検索結果要求受信手段は、前記店検索結果要求を受信したときに前記第１の店応答記憶手段にアクセスし、前記店返信履歴要求受信手段は、前記店返信履歴要求を受信したときに前記第２の店応答記憶手段にアクセスする、請求項１又は２に記載のプロバイダのシステム。
【請求項４】
場所と人数と時刻とを示す店検索情報をプロバイダのシステムに送信する店検索情報送信手段と、
店検索情報を識別する店検索結果要求を前記プロバイダのシステムに繰り返し送信し、前記プロバイダのシステムからの返信を待ち受ける店検索結果要求送信手段と
を備えたユーザのシステムであって、前記プロバイダのシステムは、
前記店検索情報送信手段から受信した店検索情報を記憶する店検索情報記憶手段と、
店情報を記憶する店情報記憶手段と、
店のシステムから、人数の範囲と時間とを示し店を識別する客検索情報を受信したときに、前記店検索情報記憶手段に第１の店検索情報が記憶されていた場合、前記第１の店検索情報を返信する手段であって、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、手段と、
店のシステムから受信した、店検索情報を識別する店応答を記憶する店応答記憶手段と
を備え、
前記プロバイダのシステムが前記店検索結果要求送信手段から店検索結果要求を受信したときに、第１の店応答が前記店応答記憶手段に記憶されていた場合、前記店検索結果要求送信手段は返信として前記第１の店応答と前記第１の店応答によって識別される店の店情報と受信し、前記プロバイダのシステムによって受信された前記店検索結果要求が識別する店検索情報は、前記第１の店応答が識別する店検索情報と一致する、ユーザのシステム。
【請求項５】
人数の範囲と時間とを示し店を識別する客検索情報を繰り返しプロバイダのシステムに送信し、前記プロバイダのシステムからの返信を待ち受ける客検索情報送信手段であって、客検索情報が示す人数の範囲は、客検索情報が示す時間において客検索情報によって識別される店が受け入れ希望の人数の範囲である、手段と、
店検索情報を識別する店応答を前記プロバイダのシステムに送信する店応答送信手段と
を備えた店のシステムであって、前記プロバイダのシステムは、
ユーザのシステムから受信した場所と人数と時刻とを示す店検索情報を記憶する店検索情報記憶手段と、
店情報を記憶する店情報記憶手段と、
前記店応答送信手段から受信した店応答を記憶する店応答記憶手段と、
ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信する店検索結果要求受信手段であって、前記店検索結果要求受信手段は同じユーザのシステムから繰り返し店検索結果要求を受信し、受信した前記店検索結果要求が識別する店検索情報は、前記第１の店応答が識別する店検索情報と一致する、手段と
を備え、
前記プロバイダのシステムが前記客検索情報送信手段から客検索情報を受信したときに、前記店検索情報記憶手段に第１の店検索情報が記憶されていた場合、前記客検索情報送信手段は返信として前記第１の店検索情報を受信し、前記プロバイダのシステムによって受信された前記客検索情報が識別する店の場所は、前記第１の店検索情報が示す場所に対応し、前記プロバイダのシステムによって受信された前記客検索情報が示す人数の範囲と時間とは、前記第１の店検索情報が示す人数と時刻とを含み、前記プロバイダのシステムは店の場所を前記店情報から取得する、店のシステム。
【請求項６】
コンピュータをプロバイダのシステムとして機能させるプログラムであって、前記コンピュータは、店検索情報記憶手段と、店情報を記憶する店情報記憶手段と、店応答記憶手段とを備え、前記プログラムは、前記コンピュータに、
ユーザのシステムから受信した、場所と人数と時刻とを示す店検索情報を前記店検索情報記憶手段に記憶するステップと、
店のシステムから人数の範囲と時間とを示し店を識別する客検索情報を受信したときに、前記店検索情報記憶手段に第１の店検索情報が記憶されていた場合、前記第１の店検索情報を返信するステップであって、前記コンピュータは同じ店のシステムから繰り返し客検索情報を受信し、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、ステップと、
店のシステムから受信した、店検索情報を識別する店応答を前記店応答記憶手段に記憶するステップと、
ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信するステップであって、前記コンピュータは同じユーザのシステムから繰り返し店検索結果要求を受信し、受信した前記店検索結果要求が識別する店検索情報は、前記第１の店応答が識別する店検索情報と一致する、ステップと
を実行させる、プログラム。
【請求項７】
前記プログラムは、前記コンピュータに、
ユーザのシステムからユーザを識別する店検索履歴要求を受信したときに、前記店検索情報記憶手段に第２の店検索情報が記憶されていた場合、前記第２の店検索情報を返信するステップであって、店検索情報はユーザを更に識別し、受信した前記店検索履歴が識別するユーザは、前記第２の店検索情報が識別するユーザと一致する、ステップ
を更に実行させ、
店検索情報は場所を示す緯度経度を示す情報又は駅名を示す情報を含み、前記店検索情報記憶手段は、緯度経度を示す情報を含む店検索情報を記憶する第１の店検索情報記憶手段と、駅名を示す情報を含む店検索情報を記憶する第２の店検索情報記憶手段と、緯度経度を示す情報を含む店検索情報及び駅名を示す情報を含む店検索情報を記憶する第３の店検索情報記憶手段と含み、前記プログラムは、前記コンピュータに、前記客検索情報を受信したときに前記第１の店検索情報記憶手段及び前記第２の店検索情報記憶手段にアクセスさせ、前記店検索履歴要求を受信したときに前記第３の店検索情報記憶手段にアクセスさせる、請求項６に記載のプログラム。
【請求項８】
前記プログラムは、前記コンピュータに、
店のシステムから店を識別する店返信履歴要求を受信したときに、前記店応答記憶手段に第２の店応答が記憶されていた場合、前記第２の店応答を返信するステップであって、店応答は店を更に識別し、受信した前記店返信履歴要求が識別する店は、前記第２の店応答が識別する店と一致する、ステップ
を更に実行させ、
前記店応答記憶手段は第１の店応答記憶手段と第２の店応答記憶手段とを含み、店応答は前記第１の店応答記憶手段及び前記第２の店応答記憶手段に記憶され、前記プログラムは、前記コンピュータに、前記店検索結果要求を受信したときに前記第１の店応答記憶手段にアクセスさせ、前記店返信履歴要求を受信したときに前記第２の店応答記憶手段にアクセスさせる、請求項６又は７に記載のプログラム。
【請求項９】
コンピュータをユーザのシステムとして機能させるプログラムであって、前記プログラムは、前記コンピュータに、
場所と人数と時刻とを示す店検索情報をプロバイダのシステムに送信するステップと、
店検索情報を識別する店検索結果要求を前記プロバイダのシステムに繰り返し送信し、前記プロバイダのシステムからの返信を待ち受けるステップと
を実行させ、前記プロバイダのシステムは、
前記店検索情報送信手段から受信した店検索情報を記憶する店検索情報記憶手段と、
店情報を記憶する店情報記憶手段と、
店のシステムから、人数の範囲と時間とを示し店を識別する客検索情報を受信したときに、前記店検索情報記憶手段に第１の店検索情報が記憶されていた場合、前記第１の店検索情報を返信する手段であって、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、手段と、
店のシステムから受信した、店検索情報を識別する店応答を記憶する店応答記憶手段と
を備え、
前記プロバイダのシステムが前記店検索結果要求送信手段から店検索結果要求を受信したときに、第１の店応答が前記店応答記憶手段に記憶されていた場合、前記コンピュータは返信として前記第１の店応答と前記第１の店応答によって識別される店の店情報と受信し、前記プロバイダのシステムによって受信された前記店検索結果要求が識別する店検索情報は、前記第１の店応答が識別する店検索情報と一致する、プログラム。
【請求項１０】
コンピュータを店のシステムとして機能させるプログラムであって、前記プログラムは、前記コンピュータに、
人数の範囲と時間とを示し店を識別する客検索情報を繰り返しプロバイダのシステムに送信し、前記プロバイダのシステムからの返信を待ち受けるステップであって、客検索情報が示す人数の範囲は、客検索情報が示す時間において客検索情報によって識別される店が受け入れ希望の人数の範囲である、ステップと、
店検索情報を識別する店応答を前記プロバイダのシステムに送信するステップと
を実行させ、前記プロバイダのシステムは、
ユーザのシステムから受信した場所と人数と時刻とを示す店検索情報を記憶する店検索情報記憶手段と、
店情報を記憶する店情報記憶手段と、
前記店応答送信手段から受信した店応答を記憶する店応答記憶手段と、
ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信する店検索結果要求受信手段であって、前記店検索結果要求受信手段は同じユーザのシステムから繰り返し店検索結果要求を受信し、受信した前記店検索結果要求が識別する店検索情報は、前記第１の店応答が識別する店検索情報と一致する、手段と
を備え、
前記プロバイダのシステムが前記客検索情報送信手段から客検索情報を受信したときに、前記店検索情報記憶手段に第１の店検索情報が記憶されていた場合、前記コンピュータは返信として前記第１の店検索情報を受信し、前記プロバイダのシステムによって受信された前記客検索情報が識別する店の場所は、前記第１の店検索情報が示す場所に対応し、前記プロバイダのシステムによって受信された前記客検索情報が示す人数の範囲と時間とは、前記第１の店検索情報が示す人数と時刻とを含み、前記プロバイダのシステムは店の場所を前記店情報から取得する、プログラム。
【請求項１１】
プロバイダのシステムが実行する方法であって、前記プロバイダのシステムは、店検索情報記憶手段と、店情報を記憶する店情報記憶手段と、店応答記憶手段とを備え、前記方法は、
前記プロバイダのシステムが、ユーザのシステムから受信した、場所と人数と時刻とを示す店検索情報を前記店検索情報記憶手段に記憶するステップと、
前記プロバイダのシステムが、店のシステムから人数の範囲と時間とを示し店を識別する客検索情報を受信したときに、前記店検索情報記憶手段に第１の店検索情報が記憶されていた場合、前記第１の店検索情報を返信するステップであって、前記プロバイダのシステムは同じ店のシステムから繰り返し客検索情報を受信し、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、ステップと、
前記プロバイダのシステムが、店のシステムから受信した、店検索情報を識別する店応答を前記店応答記憶手段に記憶するステップと、
前記プロバイダのシステムが、ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信するステップであって、前記プロバイダのシステムは同じユーザのシステムから繰り返し店検索結果要求を受信し、受信した前記店検索結果要求が識別する店検索情報は、前記第１の店応答が識別する店検索情報と一致する、ステップと
を含む、方法。
【請求項１２】
前記方法は、
前記プロバイダのシステムが、ユーザのシステムからユーザを識別する店検索履歴要求を受信したときに、前記店検索情報記憶手段に第２の店検索情報が記憶されていた場合、前記第２の店検索情報を返信するステップであって、店検索情報はユーザを更に識別し、受信した前記店検索履歴が識別するユーザは、前記第２の店検索情報が識別するユーザと一致する、ステップ
を更に含み、
店検索情報は場所を示す緯度経度を示す情報又は駅名を示す情報を含み、前記店検索情報記憶手段は、緯度経度を示す情報を含む店検索情報を記憶する第１の店検索情報記憶手段と、駅名を示す情報を含む店検索情報を記憶する第２の店検索情報記憶手段と、緯度経度を示す情報を含む店検索情報及び駅名を示す情報を含む店検索情報を記憶する第３の店検索情報記憶手段と含み、前前記方法は、前記プロバイダのシステムが、前記客検索情報を受信したときに前記第１の店検索情報記憶手段及び前記第２の店検索情報記憶手段にアクセスするステップと、前記プロバイダのシステムが、前記店検索履歴要求を受信したときに前記第３の店検索情報記憶手段にアクセスするステップとを更に含む、請求項１１に記載の方法。
【請求項１３】
前記方法は、
前記プロバイダのシステムが、店のシステムから店を識別する店返信履歴要求を受信したときに、前記店応答記憶手段に第２の店応答が記憶されていた場合、前記第２の店応答を返信するステップであって、店応答は店を更に識別し、受信した前記店返信履歴要求が識別する店は、前記第２の店応答が識別する店と一致する、ステップ
を更に含み、
前記店応答記憶手段は第１の店応答記憶手段と第２の店応答記憶手段とを含み、店応答は前記第１の店応答記憶手段及び前記第２の店応答記憶手段に記憶され、前記方法は、前記プロバイダのシステムが、前記店検索結果要求を受信したときに前記第１の店応答記憶手段にアクセスするステップと、前記プロバイダのシステムが、前記店返信履歴要求を受信したときに前記第２の店応答記憶手段にアクセスするステップとを更に含む、請求項１２又は１３に記載の方法。
【請求項１４】
ユーザのシステムが実行する方法であって、前記方法は、
前記ユーザのシステムが、場所と人数と時刻とを示す店検索情報をプロバイダのシステムに送信するステップと、
前記ユーザのシステムが、店検索情報を識別する店検索結果要求を前記プロバイダのシステムに繰り返し送信し、前記プロバイダのシステムからの返信を待ち受けるステップと
を含み、前記プロバイダのシステムは、
前記店検索情報送信手段から受信した店検索情報を記憶する店検索情報記憶手段と、
店情報を記憶する店情報記憶手段と、
店のシステムから、人数の範囲と時間とを示し店を識別する客検索情報を受信したときに、前記店検索情報記憶手段に第１の店検索情報が記憶されていた場合、前記第１の店検索情報を返信する手段であって、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、手段と、
店のシステムから受信した、店検索情報を識別する店応答を記憶する店応答記憶手段と
を備え、
前記方法は、前記プロバイダのシステムが前記店検索結果要求送信手段から店検索結果要求を受信したときに、第１の店応答が前記店応答記憶手段に記憶されていた場合、前記ユーザのシステムが返信として前記第１の店応答と前記第１の店応答によって識別される店の店情報と受信するステップを更に含み、前記プロバイダのシステムによって受信された前記店検索結果要求が識別する店検索情報は、前記第１の店応答が識別する店検索情報と一致する、方法。
【請求項１５】
店のシステムが実行する方法であって、前記方法は、
前記店のシステムが、人数の範囲と時間とを示し店を識別する客検索情報を繰り返しプロバイダのシステムに送信し、前記プロバイダのシステムからの返信を待ち受けるステップであって、客検索情報が示す人数の範囲は、客検索情報が示す時間において客検索情報によって識別される店が受け入れ希望の人数の範囲である、ステップと、
前記店のシステムが、店検索情報を識別する店応答を前記プロバイダのシステムに送信するステップと
を含み、前記プロバイダのシステムは、
ユーザのシステムから受信した場所と人数と時刻とを示す店検索情報を記憶する店検索情報記憶手段と、
店情報を記憶する店情報記憶手段と、
前記店応答送信手段から受信した店応答を記憶する店応答記憶手段と、
ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信する店検索結果要求受信手段であって、前記店検索結果要求受信手段は同じユーザのシステムから繰り返し店検索結果要求を受信し、受信した前記店検索結果要求が識別する店検索情報は、前記第１の店応答が識別する店検索情報と一致する、手段と
を備え、
前記方法は、前記店のシステムが、前記プロバイダのシステムが前記客検索情報送信手段から客検索情報を受信したときに、前記店検索情報記憶手段に第１の店検索情報が記憶されていた場合、返信として前記第１の店検索情報を受信するステップを更に含み、前記プロバイダのシステムによって受信された前記客検索情報が識別する店の場所は、前記第１の店検索情報が示す場所に対応し、前記プロバイダのシステムによって受信された前記客検索情報が示す人数の範囲と時間とは、前記第１の店検索情報が示す人数と時刻とを含み、前記プロバイダのシステムは店の場所を前記店情報から取得する、方法。
【発明の詳細な説明】
【技術分野】
【０００１】
本願発明は、店を検索するためのシステム等に関する。詳細には、ユーザが今すぐに入れる店を検索することができるサービスを提供可能なシステム等に関する。
【背景技術】
【０００２】
従来、所望の条件を満たす店を検索するために利用されるシステムが存在した。
例えば、下記の特許文献には、飲食店である店舗を検索するために利用されるサーバー１が記載されており、サーバー１は、飲食の場所、開始時間、及び人数を含む条件に基づいて店舗ファイルから該当する店舗を抽出し、該店舗に電子メールを使用して上記条件を送信する（この文献の段落［００１３］等を参照）。また、店舗ファイルは、ある店舗に対する住所、営業時間（１７：００〜２４：００）、及び収容人数（１００人）を含んでいる（この文献の図６等を参照）。
【先行技術文献】
【特許文献】
【０００３】
【特許文献１】特開２００７−３４７９４号公報
【発明の概要】
【発明が解決しようとする課題】
【０００４】
しかし、上記文献には、店舗ファイルが、時々刻々と変動する情報（例えば、ある時間（ある時刻とある時刻との間）において店舗が受け入れ希望の人数の範囲）を含むこと、及び、そのような情報を示す情報をサーバー１が受信することを開示も示唆もしていない。従って、例えば、サーバー１のユーザが「今すぐに入れる」ことを条件として店舗の検索をしようとしたとき、その検索のときに店舗が受け入れ希望の人数（例えば、店舗の空席数）を示す情報をサーバー１は持たないため、該サーバーは、この条件を満たす店舗を抽出し、該店舗に上記条件を送信することができない。
【課題を解決するための手段】
【０００５】
本願発明は、上記問題に鑑みてなされたものであり、例えば、以下のシステム、コンピュータをこのシステムとして機能させるプログラム、又はこのシステムが実行する方法である。
（１）ユーザのシステムから受信した、場所と人数と時刻とを示す店検索情報を記憶する店検索情報記憶手段と、店情報を記憶する店情報記憶手段と、店のシステムから人数の範囲と時間とを示し店を識別する客検索情報を受信したときに、前記店検索情報記憶手段に第１の店検索情報が記憶されていた場合、前記第１の店検索情報を返信する店検索情報受信手段であって、前記店検索情報受信手段は同じ店のシステムから繰り返し客検索情報を受信し、客検索情報が示す人数の範囲は、客検索情報が示す時間において客検索情報によって識別される店が受け入れ希望の人数の範囲であり、受信した前記客検索情報が識別する店の場所は、前記第１の店検索情報が示す場所に対応し、受信した前記客検索情報が示す人数の範囲と時間とは、前記第１の店検索情報が示す人数と時刻とを含み、店の場所は前記店情報から取得される、手段と、店のシステムから受信した、店検索情報を識別する店応答を記憶する店応答記憶手段と、ユーザのシステムから店検索情報を識別する店検索結果要求を受信したときに、第１の店応答が前記店応答記憶手段に記憶されていた場合、前記第１の店応答と前記第１の店応答によって識別される店の店情報とを返信する店検索結果要求受信手段であって、前記店検索結果要求受信手段は同じユーザのシステムから繰り返し店検索結果要求を受信し、受信した前記店検索結果要求が識別する店検索情報は、前記第１の店応答が識別する店検索情報と一致する、手段とを備えた、プロバイダのシステム。
（２）ユーザのシステムからユーザを識別する店検索履歴要求を受信したときに、前記店検索情報記憶手段に第２の店検索情報が記憶されていた場合、前記第２の店検索情報を返信する店検索履歴要求受信手段であって、店検索情報はユーザを更に識別し、受信した前記店検索履歴が識別するユーザは、前記第２の店検索情報が識別するユーザと一致する、手段を更に備えた、プロバイダのシステム。この場合、店検索情報は場所を示す緯度経度を示す情報又は駅名を示す情報を含み、前記店検索情報記憶手段は、緯度経度を示す情報を含む店検索情報を記憶する第１の店検索情報記憶手段と、駅名を示す情報を含む店検索情報を記憶する第２の店検索情報記憶手段と、緯度経度を示す情報を含む店検索情報及び駅名を示す情報を含む店検索情報を記憶する第３の店検索情報記憶手段と含み、前記客検索情報受信手段は、前記客検索情報を受信したときに前記第１の店検索情報記憶手段及び前記第２の店検索情報記憶手段にアクセスし、前記店検索履歴要求受信手段は、前記店検索履歴要求を受信したときに前記第３の店検索情報記憶手段にアクセスすることになる。
（３）店のシステムから店を識別する店返信履歴要求を受信したときに、前記店応答記憶手段に第２の店応答が記憶されていた場合、前記第２の店応答を返信する店返信履歴要求受信手段であって、店応答は店を更に識別し、受信した前記店返信履歴要求が識別する店は、前記第２の店応答が識別する店と一致する、手段を更に備えた、プロバイダのシステム。この場合、前記店応答記憶手段は第１の店応答記憶手段と第２の店応答記憶手段とを含み、店応答は前記第１の店応答記憶手段及び前記第２の店応答記憶手段に記憶され、前記店検索結果要求受信手段は、前記店検索結果要求を受信したときに前記第１の店応答記憶手段にアクセスし、前記店返信履歴要求受信手段は、前記店返信履歴要求を受信したときに前記第２の店応答記憶手段にアクセスすることになる。
（４）場所と人数と時刻とを示す店検索情報をプロバイダのシステムに送信する店検索情報送信手段と、店検索情報を識別する店検索結果要求を前記プロバイダのシステムに繰り返し送信し、前記プロバイダのシステムからの返信を待ち受ける店検索結果要求送信手段とを備えた、ユーザのシステム。
（５）人数の範囲と時間とを示し店を識別する客検索情報を繰り返しプロバイダのシステムに送信し、前記プロバイダのシステムからの返信を待ち受ける客検索情報送信手段であって、客検索情報が示す人数の範囲は、客検索情報が示す時間において客検索情報によって識別される店が受け入れ希望の人数の範囲である、手段と、店検索情報を識別する店応答を前記プロバイダのシステムに送信する店応答送信手段とを備えた、店のシステム。
【発明の効果】
【０００６】
（１）上記プロバイダのシステムは、ユーザからは店の条件として場所、人数、及び時刻を受信し、店のスタッフからは客の条件として人数の範囲及び時間を受信することにより、条件に合うユーザを店のスタッフが見つけること、及び条件に合う店をユーザが見つけることを可能とする。特に、このシステムによると、ユーザが今すぐに入れる店をそのユーザに知らせることが可能である。
（２）また、上記プロバイダのシステムは、店検索条件記憶手段における負荷分散を実現する。
（３）更に、上記プロバイダのシステムは、店応答記憶手段における負荷分散を実現する。
（４）上記ユーザのシステムは、ユーザが、店の条件として場所と人数と時刻とを指定し、その条件に合う店を見つけることを可能とする。特に、このシステムによると、ユーザは今すぐに入れる店を見つけることが可能である。
（５）上記店のシステムは、店のスタッフが、客の条件として時間と人数の範囲とを指定し、その条件に合うユーザを見つけることを可能とする。特に、このシステムによると、ユーザが今すぐに入れる店は、そのユーザに自身のことを知らせることが可能である。
【図面の簡単な説明】
【０００７】
【図１】本願発明の一実施形態を示す図である。
【図２】本願発明の一実施形態をより詳細に示す図である。
【図３】一実施形態における店検索情報記憶手段３７０をより詳細に示す図である。
【図４】一実施形態における店応答記憶手段３８０をより詳細に示す図である。
【図５】一実施形態における、端末１００に表示されるあるときのユーザログイン画面を示す図である。
【図６ａ】一実施形態における、端末１００に表示されるあるときのリクエスト閲覧画面を示す図である。
【図６ｂ】一実施形態における、端末１００に表示されるあるときのリクエスト閲覧画面を示す図である。
【図６ｃ】一実施形態における、端末１００に表示されるあるときのリクエスト閲覧画面を示す図である。
【図７】一実施形態における、端末１００に表示されるあるときのリクエスト作成画面を示す図である。
【図８】一実施形態における端末１００に表示される店検索情報送信完了画面を示す図である。
【図９ａ】一実施形態における、端末１００に表示されるあるときの返信確認画面を示す図である。
【図９ｂ】一実施形態における、端末１００に表示されるあるときの返信確認画面を示す図である。
【図１０】一実施形態における、端末２００に表示されるあるときの店ログイン画面を示す図である。
【図１１ａ】一実施形態における、端末２００に表示されるあるときのユーザリクエスト閲覧画面を示す図である。
【図１１ｂ】一実施形態における、端末２００に表示されるあるときのユーザリクエスト閲覧画面を示す図である。
【図１１ｃ】一実施形態における、端末２００に表示されるあるときのユーザリクエスト閲覧画面を示す図である。
【図１２】一実施形態における、端末２００に表示されるあるときの応答入力画面を示す図である。
【図１３】一実施形態における端末２００に表示される返信返信完了画面を示す図である。
【図１４】一実施形態における、端末２００に表示されるあるときの店返信履歴画面を示す図である。
【図１５】一実施形態における、あるときにユーザアカウント情報記憶手段３４０に記憶されているユーザアカウント情報を示す図である。
【図１６】一実施形態における、あるときに店アカウント情報記憶手段３５０に記憶されている店アカウント情報を示す図である。
【図１７】一実施形態における、あるときに店情報記憶手段３６０に記憶されている店情報を示す図である。
【図１８ａ】一実施形態における、あるときに店検索情報記憶手段３７０に記憶されている店検索情報を示す図である。
【図１８ｂ】一実施形態における、あるときに店検索情報記憶手段３７０に記憶されている店検索情報を示す図である。
【図１９】一実施形態における、あるときに店応答記憶手段３８０に記憶されている店情報を示す図である。
【発明を実施するための形態】
【０００８】
以下、図面とともに、本願発明の一実施形態について説明する。
図１は、本願発明の一実施形態を示している。ユーザの端末１００は、ユーザが使用するコンピュータであり、ユーザのシステムである。店の端末２００は、店のスタッフが使用するコンピュータであり、店のシステムである。すぐみせサーバ３００は、端末１００及び２００と任意のネットワークを介して接続されたコンピュータであり、この実施形態が提供するサービスのプロバイダのシステムである。
【０００９】
ここで、「ユーザ」とは、この実施形態が提供するサービスを利用して店を探す者のことである。
また、「店」とは、喫茶店、レストラン、居酒屋、カラオケ店等、時々刻々と利用可能な人数が変動する施設のことである。
【００１０】
「すぐみせ」という呼称は、この実施形態によって提供されるサービスの一例が、ユーザがすぐに入れる店（みせ）の検索を実現するサービスであることから名付たものであり、端末１００及び２００並びにサーバ３００の利用目的を制限する意図はない。
【００１１】
「コンピュータ」とは、演算及び制御手段と、記憶手段と、入力手段と、出力手段とを含む装置のことである。演算及び制御手段はＣＰＵ及びＭＰＵ等を含む。記憶手段は、メモリ、ハードディスク、及びＳＳＤ等を含む。入力手段は、マウス、キーボード、タッチパネル、ネットワーク・インターフェース等を含む。出力手段は、ネットワーク・インターフェース、ディスプレイ、プリンタ、及びスピーカ等を含む。ＦＰＧＡやマイクロコンピュータ等を使用して、演算及び制御手段と記憶手段と入力手段と出力手段とのうちの２つ以上を物理的に１つのものとすることもできる。これら演算及び制御手段、記憶手段、入力手段、及び出力手段のうちの１以上を使用して、以下で説明する各「手段」を実現可能なことは、当業者には明らかであろう。
【００１２】
なお、「コンピュータ」は、複数のコンピュータの組み合わせを含む。１つの「コンピュータ」の例は、携帯電話、ｉＰｈｏｎｅ等のスマートフォン、ｉＰｏｄ  ｔｏｕｃｈ及びｉＰａｄ等の携帯情報端末、ノートパソコン及びデスクトップパソコン等のパーソナル・コンピュータ、ワークステーション、ラック・コンピュータ、サーバ用コンピュータ、オフィス・コンピュータ、及びメインフレーム等である。
【００１３】
図２は、端末１００及び２００並びにサーバ３００が備える各手段を示している。以下、これら手段について説明する。
まず、端末１００とサーバ３００との間の通信に関係する手段について説明する。
【００１４】
ユーザログイン情報送信手段１０１は、ユーザログイン情報をユーザログイン情報受信手段３１１に送信する。ユーザログイン情報は、ユーザを識別する情報（以下、「ユーザＩＤ」という）及びパスワード（以下、「ユーザＰＷＤ」という）を含むことができる。なお、ユーザＩＤは、ユーザの電子メールアドレスを使用してもよい。受信手段３１１は、受信したユーザログイン情報に含まれるユーザＩＤをログインさせてよいかを判定する。ログインさせてよいと判定した場合、受信手段３１１は、ログインできたことを示す情報（以下、「ユーザＯＫ」という）を送信手段１０１に返信する。ログインさせてよいと判定しなかった場合、受信手段３１１はログインできなかったことを示す情報（以下、「ユーザＮＧ」という）を送信手段１０１に返信する。
【００１５】
上記判定をどのように行うかであるが、一実施形態においては、受信したユーザログイン情報に含まれるユーザＩＤ及びユーザＰＷＤが、ユーザアカウント情報記憶手段３４０に記憶されているユーザアカウント情報に含まれるユーザＩＤ及びユーザＰＷＤと一致した場合、ログインさせてよいと判定し、それ以外の場合、ログインさせてよいと判定しないことができる。別実施形態において、それ以外の手法で判定してもよいことは言うまでもない。なお、記憶手段３４０が記憶するユーザアカウント情報の例を図１５に示す。
【００１６】
店検索情報送信手段１０２は、後述する店検索情報を店検索情報受信手段手段３１２に送信する。受信手段３１２は、受信した店検索情報を登録してよいかを判定する。登録してよいと判定した場合、受信手段３１２は、受信した店検索情報を店検索情報記憶手段３７０に記憶し、登録したことを示す情報（以下、「登録ＯＫ」という）を送信手段１０２に返信する。登録してよいと判定しなかった場合、手段３１２は、登録しなかったことを示す情報（以下、「登録ＮＧ」）を送信手段１０２に返信する。なお、店検索情報記憶手段３７０が記憶する店検索情報の例を図１８ａ及び１８ｂに示す。なお、この実施形態における店検索情報の「時間」は、正確には「日時」である。
【００１７】
店検索情報とは、検索される店に対するリクエストとして、人数と時刻とを示すことのできる情報である。そのために、店検索情報は、人数を示す情報と時刻を示す情報とを含むことができる。時刻を示す情報は、時刻のみを示してもよいし、日時を示してもよい。現在の日時を得るために、ユーザの端末１００はリアルタイムクロック（図示せず）を更に備えることができる。  
【００１８】
また、店検索情報はリクエストとして場所を更に示すことができる。そのために、店検索情報は、例えば緯度経度を示す情報又は駅名を示す情報を含むことができる。緯度経度を示す情報を得るために、ユーザの端末１００はＧＰＳ受信機（図示せず）を更に備えることができる。なお、以下の説明では、「駅名」を「鉄道会社名」（ＪＲ及び東京メトロ等）と「駅の名前」（恵比寿駅）との組み合わせで特定しているが、更に「路線名」（山手線等）を組み合わせてもよいし、「駅の名前」のみで特定してもよい。
【００１９】
更に、店検索情報は、該店検索情報を発したユーザを識別することができてもよく、そのために、店検索情報はユーザＩＤを含むことができる。また、店検索情報は、リクエストとしてのユーザからの店に対するその他の要望を示す情報（以下、「その他の要望」という）と、店検索情報送信手段１０２が該店検索情報を送信した日時を示す情報（以下、「リクエスト日時」という）とのうちの１以上を更に含んでもよい。また、一実施形態において、店検索情報受信手段３１２は、店検索情報を受信したときに、この店検索情報を識別する情報（以下、「店検索ＩＤ」という）を生成して受信した店検索情報に付加することができる。別実施形態において、店検索情報送信手段１０２は、店検索情報を送信するときに、この店検索情報の店検索ＩＤを生成して付加することができる。
【００２０】
店検索情報を登録してよいかの上記判定をどのように行うかであるが、一実施形態においては、受信した店検索情報と同一の店検索情報が店検索情報記憶手段３７０に既に記憶されていた場合、登録してよいと判定せず、それ以外の場合、登録してよいと判定することができる。別実施形態において、それ以外の手法で判定してもよいことは言うまでもない。
【００２１】
店検索履歴要求送信手段１０３は、店検索履歴要求を店検索履歴要求受信手段３１３に送信する。店検索履歴要求はユーザを識別することができ、そのために、店検索履歴要求はユーザＩＤを含むことができる。受信手段３１３は、受信した店検索履歴要求によって識別されるユーザが過去に発した店検索情報（以下、「店検索履歴」という）が、店検索情報記憶手段３７０に記憶されているかを判定する。記憶されていると判定した場合、受信手段３１３は、店検索履歴を送信手段１０３に返信する。記憶されていると判定しなかった場合、受信手段３１３は、例えば、店検索履歴がないことを示す情報を送信手段１０３に返信することができる（図示せず）。なお、ある店検索情報が店検索履歴かどうかは、その店検索情報によって識別されるユーザと、受信した店検索履歴要求によって識別されるユーザとが一致するかどうかによって判定することができる。また、返信される店検索履歴は、記憶手段３７０に記憶されているその店検索履歴が含む一部の情報だけを含むものであってもよい。
【００２２】
店検索結果要求送信手段１０４は、店検索結果要求を店検索結果要求受信手段３１４に送信する。店検索結果要求は店検索情報を識別することができ、そのために、店検索結果要求は店検索ＩＤを含むことができる。なお、店検索結果要求は、該店検索結果要求を発したユーザを識別できてもよく、そのために、店検索結果要求はユーザＩＤを含むことができる。店検索結果要求を受信した受信手段３１４は、所望の店応答が店応答記憶手段３８０に記憶されているかを判定する。記憶されていると判定した場合、受信手段３１４はその所望の店応答を送信手段１０４に返信する。記憶されていると判定しなかった場合、例えば、受信手段３１４は何もしなくてよい。なお、返信される所望の店応答は、記憶手段３８０に記憶されているその所望の店応答が含む一部の情報だけを含むものであってもよい。
【００２３】
所望の店応答とは、受信した店検索結果要求が識別する店検索情報に対する店応答のことである。店応答については後で詳述するが、店応答は、該店応答の対象となる店検索情報を識別することができ、ある店応答が所望の店応答であるかどうかは、その店応答が識別する店検索情報と、受信した店検索結果要求が識別する店検索情報が一致するかどうかで判定することができる。
【００２４】
所望の店応答が店応答記憶手段３８０に記憶されていると判定した場合、店検索結果要求受信手段３１４は、更に、その所望の店応答を返した店の店情報を店情報記憶手段３６０から取得して、店検索結果要求送信手段１０４に返信することができる。そのために、店応答は、該店応答を返した店を更に識別することができる。なお、店情報記憶手段３６０が記憶する店情報の例を図１７に示す。また、返信される店情報は、記憶手段３６０に記憶されているその店情報が含む一部の情報だけを含むものであってもよい。
【００２５】
一実施形態において、店検索結果要求送信手段１０４は、１分周期で自動的に店検索結果要求を繰り返し送信する。別実施形態において、別の一定周期で又はランダムな周期で送信してもよいことは言うまでもない。周期をより短くすれば、所望の店応答が店応答記憶手段３８０に新たに記憶された場合、送信手段１０４はより早くその所望の店応答を受信することができるようになる。
【００２６】
次に、端末２００とサーバ３００との間の通信に関係する手段について説明する。
店ログイン情報送信手段２０１は、店ログイン情報を店ログイン情報受信手段３２１に送信する。店ログイン情報は、店を識別する情報（以下、「店ＩＤ」という）及びパスワード（以下、「店ＰＷＤ）という）を含むことができる。受信手段３２１は、受信した店ログイン情報に含まれる店ＩＤをログインさせてよいかを判定する。ログインさせてよいと判定した場合、受信手段３２１はログインできたことを示す情報（以下、「店ＯＫ」という）を送信手段２０１に返信する。ログインさせてよいと判定しなかった場合、受信手段３２１はログインできなかったことを示す情報（以下、「店ＮＧ」という）を送信手段２０１に返信する。
【００２７】
上記判定をどのように行うかであるが、一実施形態においては、受信した店ログイン情報に含まれる店ＩＤ及び店ＰＷＤが、店アカウント情報記憶手段３５０に記憶されている店アカウント情報に含まれる店ＩＤ及び店ＰＷＤと一致した場合、ログインさせてよいと判定し、それ以外の場合、ログインさせてよいと判定しないことができる。別実施形態において、それ以外の手法で判定してもよいことは言うまでもない。なお、記憶手段３５０が記憶する店アカウント情報の例を図１６に示す。
【００２８】
客検索情報送信手段２０２は、後述する客検索情報を客検索情報受信手段３２２に送信する。客検索情報を受信した手段３２２は、店検索情報記憶手段３７０に所望の店検索情報が記憶されているかを判定する。記憶されていると判定した場合、受信手段３２２はその所望の店検索情報を送信手段２０２に返信する。記憶されていると判定しなかった場合、受信手段３２２は、例えば、記憶されていないことを示す情報（以下、「情報ＮＡ」という）を送信手段２０２に返信することができる（図示せず）。なお、返信される所望の店検索情報は、記憶手段３７０に記憶されているその所望の店検索情報が含む一部の情報だけを含むものであってもよい。
【００２９】
「客検索情報」とは、客の検索条件として、人数の範囲と時間とを示すことのできる情報である。そのために、客検索情報は、人数の範囲を示す情報と時間を示す情報を含むことができる。人数の範囲は、ある人数以上、ある人数以下、及びある人数以上且つある人数以下等を含む。時間は、ある時刻以降、ある時刻以前、及びある時刻以降且つある時刻以前等を含む。また、客検索情報受信手段３２２は、受信した客検索情報が人数の範囲を示す情報又は時間を示す情報を含まないときに、その客検索情報が、デフォルトの人数の範囲又はデフォルトの時間を示すものと判定することができる。一実施形態においては、デフォルトの人数の範囲を０人以上とし、デフォルトの時間を０：００以降２３：５９以前とすることができる。別実施形態において、別の人数の範囲又は時間をデフォルトの人数の範囲又は時間としてもよいことは言うまでもない。
【００３０】
「所望の店検索情報」とは、受信した客検索情報が示す人数の範囲と時間とによって含まれる人数と時刻とを示す店検索情報のことである。例えば、受信した客検索情報が示す人数の範囲が１２人以下であり、時間が２０：５８以降２１：５８以前である場合、１０人及び２１：００を示す店検索情報は所望の店検索情報である。
【００３１】
客検索情報は、該客検索情報を発した店を更に識別することができ、そのために、客検索情報は店ＩＤを含むことができる。この場合、受信した客検索情報が示す人数の範囲と時間とによって含まれる人数と時刻とを示し、且つ、受信した客検索情報によって識別される店の場所に対応する場所を示す店検索情報を所望の店検索情報とすることができる。なお、ある場所とある場所とが対応するかは、以下のような手法によって判定できる。
【００３２】
例えば、店検索情報が緯度経度を示す情報を含む場合、該情報が示す緯度と店の場所の緯度との差が所定の値以下であり、且つ、該情報が示す経度と店の場所の経度との差が所定の値以下であるときに、この店検索情報が示す場所は店の場所に対応すると判定することができる。徒歩１５分程度で移動できるときに場所が対応すると判定させたい場合、上記所定の値は、緯度及び経度のそれぞれに対して０．０１２程度であろう。なお、所定の値として別の値を使用してもよいし、緯度及び経度のそれぞれに対して異なる所定の値を使用してもよいことは言うまでもない。なお、サーバ３００は、住所から緯度及び経度を求める住所・緯度経度変換手段（図示せず）を備えることができる。一実施形態において、店の場所の緯度及び経度は、店からアカウント登録の申請がされたときに、登録を許可する段階で、住所・緯度経度変換手段を使用して店の住所から求め、予め店情報として店情報記憶手段３６０に記憶しておくことができる。別実施形態において、店の場所の緯度及び経度が必要になったときに、その都度店の住所から求めてもよいことは言うまでもない。
【００３３】
また、例えば、店検索情報が駅名を示す情報を含む場合、該情報が示す駅名と店の最寄り駅の駅名とが一致したときに、この店検索情報が示す場所は店の場所に対応すると判定することができる。なお、最寄駅として複数の駅が存在する場合、その複数の駅の何れかの駅名が一致したときに、店検索情報が示す場所は店の場所に対応すると判定してよいことは言うまでもない。一実施形態においては、最寄駅の駅名として、店情報が含む店へのアクセスを示す情報から求めた駅名を使用することができる。例えば、「東京メトロ銀座駅 東口 徒歩１分」から「東京メトロ銀座駅」を求め、店の最寄り駅として使用することができる。別実施形態において、店情報は、店の最寄り駅を示す情報を店へのアクセスを示す情報とは別に含んでいてもよいことは言うまでもない。
【００３４】
更に、例えば、サーバ３００は、緯度経度から地域を求める緯度経度・地域変換手段（図示せず）と、駅名から地域を求める駅名・地域変換手段（図示せず）と、住所から地域を求める住所・地域変換手段とを備えることができる。例えば、緯度経度変換手段又は駅名変換手段を使用して、「北緯３５．６４６４８６度，東経１３９．７１０３４５度」又は「ＪＲ恵比寿駅」から「恵比寿」という地域を求めることができ、住所変換手段を使用して、「東京都世田谷区恵比寿Ｄ−Ｅ−Ｆ」という住所から「恵比寿」という地域を求めることができる。この場合、店検索情報が含む緯度経度を示す情報又は駅名を示す情報から求めた地域と、店の住所から求めた地域とが一致したときに、この店検索情報が示す場所は店の場所に対応すると判定することができる。
【００３５】
なお、店検索情報が複数の駅名を示す情報を含む場合等、店検索情報によって示される場所が複数求められた場合、その複数の場所のうちの何れかが店の場所に対応するときに場所が対応したと判定することができる。
【００３６】
一実施形態において、客検索情報送信手段２０２は、後述する「条件検索」ボタン５１６が押下されたときに客検索情報を送信するほか、１分周期で自動的に客検索情報を繰り返し送信する。別実施形態において、別の一定周期で又はランダムな周期で送信してもよいことは言うまでもない。周期をより短くすれば、所望の店検索情報が店検索情報記憶手段３７０に新たに記憶された場合、送信手段２０２はより早くその所望の店検索情報を受信することができるようになる。
【００３７】
店応答送信手段２０３は、店応答を店応答受信手段３２３に送信する。店応答とは、ユーザからの店検索情報に対する店からの応答のことである。店応答は、該店応答を返した店と、対象の店検索情報とを識別することができ、そのために、店応答は、店ＩＤと、店検索ＩＤとを含むことができる。更に、店応答は、店検索情報に対するコメントを示す情報と、該店応答を返信した日時を示す情報とのうちの一方又は双方を含むことができる。店応答を受信した受信手段３２３は、該店応答を受け入れるかどうかを判定する。受け入れると判定した場合、受信手段３２３は、受信した店応答を店応答記憶手段３８０に記憶し、店応答の返信ができたことを示す情報（以下、「返信ＯＫ」という）を送信手段２０３に返信する。受け入れると判定しなかった場合、受信手段３２３は、店応答の返信ができなかったことを示す情報（以下、「返信ＮＧ」という）を送信手段２０３に返信する。なお、店応答記憶手段３８０が記憶する店応答の例を図１９に示す。
【００３８】
店応答を受け入れるかどうかの上記判定をどのように行うかであるが、一実施形態においては、受信した店応答と同一の店応答が店応答記憶手段３８０に既に記憶されていた場合、受け入れると判定せず、それ以外の場合、受け入れると判定することができる。別実施形態において、それ以外の手法で判定してもよいことは言うまでもない。
【００３９】
店返信履歴要求送信手段２０４は、店返信履歴要求を店返信履歴要求受信手段３２４に送信する。店返信履歴要求は店を識別することができ、そのために、店返信履歴要求は店ＩＤを含むことができる。受信手段３２４は、受信した店返信履歴要求によって識別される店が過去に返した店応答（以下、「店応答履歴」という）が、店応答記憶手段３８０に記憶されているかを判定する。記憶されていると判定した場合、受信手段３２４は、店応答履歴を送信手段２０４に返信する。記憶されていると判定しなかった場合、受信手段３２４は、例えば、店応答履歴がないことを示す情報を送信手段２０４に返信することができる（図示せず）。なお、ある店応答が店応答履歴であるかどうかは、その店応答によって識別される店と、受信した店返信履歴要求によって識別される店とが一致するかどうかで判定することができる。また、返信される店応答履歴は、記憶手段３８０に記憶されているその店応答履歴が含む一部の情報だけを含むものであってもよい。
【００４０】
店応答履歴が店応答記憶手段３８０に記憶されていると判定した場合、店返信履歴要求受信手段３２４は、更に、その店応答履歴によって識別される店検索情報を店検索情報記憶手段３７０から取得して、店返信履歴要求送信手段２０４に返信することができる。なお、返信される店検索情報は、記憶手段３７０に記憶されているその店検索情報が含む一部の情報だけを含むものであってもよい。
【００４１】
次に、店検索情報記憶手段３７０及び店応答記憶手段３８０について詳述する。
店検索情報記憶手段３７０は、図３に示すように、物理的に別の複数の記憶手段を含むことができる。店検索情報受信手段３１２は、上述のように店検索情報を受信したとき、受信した店検索情報を第３の店検索情報記憶手段３７３に記憶する。更に、受信手段３１２は、受信した店検索情報が緯度経度を示す情報と駅名を示す情報との何れを含むかを判定する。緯度経度を示す情報を含むと判定した場合、該店検索情報を第１の店検索情報記憶手段３７１に更に記憶し、駅名を示す情報を含むと判定した場合、該店検索情報を第２の店検索情報記憶手段３７２に更に記憶する。
【００４２】
客検索情報受信手段３２２は、上述のように客検索情報を受信したとき、所望の店検索情報が記憶手段３７０に記憶されているかを判定するために、第１の店検索情報記憶手段３７１及び第２の店検索情報記憶手段３７２のみにアクセスすることができる。店検索履歴要求受信手段３１３は、上述のように店検索履歴要求を受信したとき、店検索履歴が記憶手段３７０に記憶されているかを判定するために、第３の店検索情報記憶手段３７３のみにアクセスすることができる。
【００４３】
このように手段ごとにアクセスする記憶手段を分けることにより、店検索情報記憶手段３７０における負荷分散を達成することができる。このことは、記憶手段３７０への頻繁なアクセスにより、サーバ３００全体のパフォーマンスの大幅な低下が予想される場合には重要である。なお、そのようなことが予想されない場合に、記憶手段３７０を物理的に１つの記憶手段から構成してもよいことは言うまでもない。
【００４４】
店応答記憶手段３８０は、図４に示すように、物理的に別の複数の記憶手段を含むことができる。店応答受信手段３２３は、上述のように店応答を受信したとき、受信した店応答を第１の店応答記憶手段３８１及び第２の店応答記憶手段３８２の両方に記憶する。
【００４５】
店検索結果要求受信手段３１４は、上述のように店検索結果要求を受信したとき、所望の店応答が店応答記憶手段３８０に記憶されているかを判定するため、第１の店応答記憶手段３８１のみにアクセスすることができる。店返信履歴要求受信手段３２４は、上述のように店返信履歴要求を受信したとき、店応答履歴が記憶手段３８０に記憶されているかを判定するため、第２の店応答記憶手段３８２のみにアクセスすることができる。
【００４６】
このように手段ごとにアクセスする記憶手段を分けることにより、店応答記憶手段３８０における負荷分散を達成することができる。このことは、記憶手段３８０への頻繁なアクセスにより、サーバ３００全体のパフォーマンスの大幅な低下が予想される場合には重要である。なお、そのようなことが予想されない場合に、記憶手段３８０を物理的に１つの記憶手段から構成してもよいことは言うまでもない。
【００４７】
以下、上述の一実施形態によって提供されるサービスの具体例について、ユーザの端末１００及び店の端末２００に表示される画面への参照とともに説明する。
まず、ユーザが店を探すときの処理の流れについて説明する。なお、このとき、ユーザは、＜１Ａ  「すぐみせ」アプリ起動＞→＜１Ｂ  ユーザのログイン＞→＜１Ｃ  店を検索＞→＜１Ｄ  検索結果の待ち受け＞→＜１Ｅ  店からの返信確認＞という流れで端末１００を操作し、店のスタッフは、＜２Ａ  「すぐみせ」アプリ起動＞→＜２Ｂ  店のログイン＞→＜２Ｃ  客を検索＞→＜２Ｄ  客への返信＞という流れで端末２００を操作する。
＜１Ａ  「すぐみせ」アプリ起動＞
忘年会の幹事を任された新人の片山さんは、一次会の締めの挨拶を部長に振り終え、無事幹事をやり遂げられそうだと一安心していた、ところが、課長の提案により急遽二次会が開催されることになった。そこで、片山さんは、二次会の会場となる店を探すために、すぐみせサービス（上述の一実施形態が提供可能なサービスである）を利用しようと思い立った。なお、片山さんは既にサーバ３００にアカウントを登録済みである。また、二次会の参加人数は１０名であり、３０分後に現在いる場所で開催することになっている。更に、店には個室があることが好ましい。
【００４８】
まず、片山さんは所持していたｉＰｈｏｎｅにて「すぐみせ」アプリ（ユーザ用）を起動した。このアプリ（プログラムである）が起動することにより、ｉＰｈｏｎｅはユーザの端末１００として機能し、ユーザログイン画面が表示される。
＜１Ｂ  ユーザのログイン＞
次に、片山さんは、ユーザログイン画面において、自分のユーザＩＤである「ｋａｔａｙａｎ」及びユーザＰＷＤである「９３ｊｓａｓｄ９」を入力した。このときのユーザログイン画面は、図５に示す画面に対応する。また、この図において、入力されたユーザＰＷＤは「●●●●」と示されている。片山さんが「ログイン」ボタン４０１を押下すると、ユーザログイン情報送信手段１０１は、入力されたユーザＩＤ及びユーザＰＷＤを含むユーザログイン情報を送信する。なお、「会員登録」ボタン４０２が押下されると、ユーザアカウントを登録するための画面（図示せず）が表示されることになるが、片山さんは既にアカウントを取得しているため、アカウントをどのように登録するかについては省略する。
【００４９】
ユーザログイン情報受信手段３１１は、このユーザログイン情報を受信すると、「ｋａｔａｙａｎ」をログインさせてよいかを判定する。このときのユーザアカウント情報記憶手段３４０は、図１５に示すユーザアカウント情報を記憶しているものとする。記憶手段３４０には「ｋａｔａｙａｎ」及び「９３ｊｓａｓｄ９」を含むユーザアカウント情報が記憶されているので、受信手段３１１は「ｋａｔａｙａｎ」をログインさせてよいと判定し、ユーザＯＫを返信する。
【００５０】
ユーザログイン情報送信手段１０１がユーザＯＫを受信すると、店検索履歴要求送信手段１０３は「ｋａｔａｙａｎ」を含む店検索履歴要求を送信し、「ｋａｔａｙａｎ」が識別するユーザ、即ち片山さんの店検索履歴を受信する。このとき、店検索情報記憶手段３７０には図１８ａに示す店検索情報が記憶されているとすると、図６ａに示すリクエスト閲覧画面が表示される。なお、フィールド４００は、ログイン中のユーザＩＤを示している。また、フィールド４１１の「時間：今すぐ」は、受信した店検索情報に含まれる時刻を示す情報が示す時刻と、リクエスト日時が示す時刻とが一致したことを示している。
＜１Ｃ  店を検索＞
新たな店を検索するために、片山さんは「リクエスト作成」ボタン４１２を押下した。この選択により、図７に示すリクエスト作成画面が表示される。片山さんは、店の場所として現在地を指定するために「現在地から検索」ラジオボタン４３１を選択し、人数として１０名を指定するためにテキストボックス４３５に「１０」と入力し、時刻として現在時刻から３０分後を指定するためにラジオボタン４３７を選択しテキストボックス４３８に「３０」と入力し、その他の要望を指定するためにテキストボックス４３９に「できれば個室で。」と入力した。なお、ラジオボタン４３２が選択され、テキストボックス４３３又は４３４に駅名が入力された場合には、場所としてその駅名を指定したことになる。なお、テキストボックス４３３及び４３４の双方に駅名が入力された場合には、２つの駅名が指定されることになる。また、「いますぐ」選択ラジオボタン４３６が選択された場合には、時刻として現在時刻を指定したことになる。
【００５１】
片山さんが「リクエスト送信」ボタン４４０を選択すると、店検索情報送信手段１０２は、ユーザの端末１００が備えるＧＰＳ受信機から現在地の緯度経度である「北緯３５．６４６４８６度，東経１３９．７１０３４５度」を取得し、ユーザの手段１００が備えるリアルタイムクロックから現在の日時である２０１１／２／５  ２１：００を取得し、そして、「ｋａｔａｙａｎ」と、リクエスト日時としての上記日時を示す情報と、上記緯度経度を示す情報と、１０人を示す情報と、２０１１／２／５  ２１：３０を示す情報と、「できれば個室で。」とを含む店検索情報を送信する。
【００５２】
店検索情報受信手段３１２は、この店検索情報を受信すると、生成した店検索ＩＤである「１００５」を付加して店検索情報記憶手段３７０に記憶し、登録ＯＫを返信する。このとき記憶手段３７０が記憶している店検索情報は、図１８ｂに示す店検索情報に対応する。店検索情報送信手段１０２が登録ＯＫを受信すると、図８に示す店検索情報送信完了画面が表示される。
＜１Ｄ  店検索結果の待ち受け＞
片山さんは、店の検索結果を待ち受けるため、「送信したリクエストを見る」ボタン４５１を選択した。この選択により、店検索履歴要求送信手段１０３は「ｋａｔａｙａｎ」を含む店検索履歴要求を送信し、片山さんの店検索履歴を受信し、この店検索履歴に基づいて再びリクエスト閲覧画面が表示される。なお、このときのリクエスト閲覧画面は、図６ｂに示す画面に対応する。なお、図６ｂのフィールド４１１の「場所：現在地周辺」は、受信した店検索履歴に含まれる場所を示す情報が緯度経度であることを示している。
＜２Ａ  「すぐみせ」アプリ起動＞
一方、片山さんがすぐ店サービスを利用しようと思い立つ少し前に、恵比寿にある「居酒屋キッチン」という店では１２ほどの空席が存在した。そこで、この店のスタッフは、店を探しているユーザ、即ち客がいないかを調べるため、すぐみせサービスを利用しようと思い立った。なお、この店は、既にサーバ３００にアカウントを登録済みであり、１０人程度が利用できる個室を有している。
【００５３】
まず、スタッフは店のｉＰａｄにて「すぐみせ」アプリ（店用）を起動した。このアプリ（プログラムである）が起動することにより、ｉＰａｄは店の端末２００として機能し、店ログイン画面が表示される。
＜２Ｂ  店のログイン＞
次に、スタッフは、店ログイン画面においてこの店の店ＩＤである「ｅｂｉｓｕｋ」及び店ＰＷＤである「ｓｗ９ｓａｋｎｄｆａｇ」を入力した。このときの店ログイン画面は、図１０に示す画面に対応する。また、この図において、入力された店ＰＷＤは「●●●●」と示されている。スタッフが「ログイン」ボタン５０１を選択すると、店ログイン情報送信手段２０１は、入力された店ＩＤ及び店ＰＷＤを含む店ログイン情報を送信する。なお、「会員申請」ボタン５０２が押下されると、店アカウントを申請するための画面（図示せず）が表示されることになるが、この店は既にアカウントを取得しているため、アカウントをどのように申請するかについては省略する。
【００５４】
店ログイン情報受信手段３２１は、この店ログイン情報を受信すると、「ｅｂｉｓｕｋ」をログインさせてよいかを判定する。このときの店アカウント情報記憶手段３５０は、図１６に示す店アカウント情報を記憶しているものとする。記憶手段３５０には「ｅｂｉｓｕｋ」及び「ｓｗ９ｓａｋｎｄｆａｇ」を含む店アカウント情報が記憶されているので、受信手段３２１は「ｅｂｉｓｕｋ」をログインさせてよいと判定し、店ＯＫを返信する。
【００５５】
店ログイン情報送信手段２０１が店ＯＫを受信すると、ユーザリクエスト閲覧画面が表示される。同時に、客検索条件送信手段２０２は、「ｅｂｉｓｕｋ」を含み、人数の範囲を示す情報と時間とを示す情報を含まない客検索情報を送信する。この客検索情報を受信した客検索条件受信手段３２２は、店情報記憶手段３６０に図１７に示す店情報が記憶されているものとすると、「ｅｂｉｓｕｋ」が識別する店、即ち居酒屋キッチンの緯度及び経度である「北緯３５．６５６４８６度，東経１３９．７１９３４５度」並びに最寄り駅である「ＪＲ恵比寿駅」及び「東京メトロ恵比寿駅」を記憶手段３６０から取得する。更に、受信手段３２２は、受信した客検索情報が０人以上の人数の範囲を示し、０：００〜２３：５９の時間を示す、即ち、実質的に人数の範囲と時間とを指定しないものと解釈し、店検索情報記憶手段３７０に所望の店検索情報が記憶されているかを判定する。このときの記憶手段３７０は、まだ片山さんからの店検索情報は記憶されておらず、図１８ａに示す店検索情報が記憶されているものとすると、受信手段３２２は所望の店検索情報が記憶されていると判定し、店検索情報３及び４を所望の店検索情報として返信する。送信手段２０２が所望の店検索情報を受信すると、この店検索情報に基づいて、ユーザリクエスト閲覧画面が更新される。このときのユーザリクエスト閲覧画面は、図１１ａに示す画面に対応する。なお、フィールド５００は、ログイン中の店ＩＤを示している。
【００５６】
なお、図１１ａにおいては、「リクエスト送信時刻順に表示」ラジオボタン５１９がデフォルトとして選択されているため、店検索情報はリクエスト日時順に並んでいるが、「来店希望時間順に表示」ラジオボタン５２０が選択された場合、店検索情報は来店希望時間順に並ぶことになる。なお、「リクエスト送信時刻」、「来店希望時間」、及び「コメント」は、この実施形態における店検索情報の「リクエスト日時」、「時間」、及び「その他の要望」に対応する。また、フィールド５２１は、客検索条件送信手段２０２が受信した所望の店検索情報の数を示している。
＜２Ｃ  客を検索＞
ユーザリクエスト閲覧画面を参照したスタッフは、店を探している客がいることに気付いたものの、その人数は何れも１２名を超えており、居酒屋キッチンでは受け入れることができないと判断し、これらの客を獲得しようとは考えなかった。しかし、今の時間帯ならば新たに店を探している客がすぐに現れると考え、人数の範囲を指定するためにチェックボタン５１１を選択し、テキストボックス５１３に人数の範囲の上限である「１２」と入力した。なお、人数の範囲の下限を指定する場合には、テキストボックス５１２にその下限を入力することになる。また、できる限り早く空席を埋めたいと考え、時間を指定するためのチェックボタン５１４を選択し、テキストボックス５１７に時間の終点である「６０」と入力した。なお、時間の始点を指定する場合には、テキストボックス５１５にその始点を入力することになる。なお、図１１ａにおいては、分後／分前選択コンボボックス５１６及び５１８がデフォルトの「分後」に設定されているため、このときの時間は「現在時刻から６０分後以前」を示すこととなる。コンボボックス５１６及び５１８は、選択することにより、「分前」にも設定することができる。例えば、更に、テキストボックス５１５に更に「１０」と入力し、コンボボックス５１６を「分前」に設定した場合、この時の時間は「現在時刻の１０分前以降６０分後以前」を示すこととなる。
【００５７】
そして、スタッフが「条件検索」ボタン５１６を押下すると、客検索条件送信手段２０２は、店の端末２００が備えるリアルタイムクロックから現在の日時である２０１１／２／５  ２０：５８を取得し、そして、「ｅｂｉｓｕｋ」と、１２人以下を示す情報と、２１：５８以前を示す情報とを含む客検索情報を送信する。なお、「返信履歴確認」ボタン５２２が押下されたときの動作については後述する。
【００５８】
この客検索情報を受信した客検索情報受信手段３２２は、店検索情報記憶手段３７０に所望の店検索情報は記憶されていないと判定し、情報ＮＡを返信する。情報ＮＡを客検索情報送信手段２０２が受信すると、ユーザリクエスト閲覧画面上に「該当結果はありませんでした」とのメッセージが表示され、そして画面が更新されて図１１ｂに示すユーザリクエスト閲覧画面となる。
【００５９】
上記客検索情報は、１分おきに、自動的に客検索情報送信手段２０２から客検索情報受信手段３２２に送信される。数分後、店検索情報記憶手段３７０に片山さんからの店検索情報が記憶されると、受信手段３２２は、「北緯３５．６４６４８６度，東経１３９．７１０３４５度」（恵比寿キッチンの場所の緯度及び経度である「北緯３５．６５６４８６度，東経１３９．７１９３４５度」とは、緯度及び経度の差が０．０１２度以下である）を示す情報を含み、１０人以下の人数を示し、且つ２１：５８以前の時刻を示すこの店検索情報を、所望の店検索情報として返信するようになる。この所望の店検索情報を送信手段２０２が受信すると、ユーザリクエスト閲覧画面が更新され、ユーザリクエスト閲覧画面は図１１ｃに示す画面となる。
【００６０】
再びユーザリクエスト閲覧画面を参照したスタッフは、店を探している客が現れたことに気づく。しかも、この客は１２名以下であり、来店希望時間が示す時刻も２１：３０で比較的早いため、スタッフはこの客を獲得しようと考え、「リクエストへ返信」ボタン５２３を選択した。この選択により、応答入力画面が表示される。
＜２Ｄ  客への返信＞
スタッフは、この客が希望の個室を提供できることを知らせるため、「個室あります。」と入力した。更に、団体客であることから、「１０％割引します。」と入力した。このときの返信画面は、図１２に示す画面に対応する。スタッフが「返信」ボタン５３１を選択すると、店応答送信手段２０３は、リアルタイムクロックから現在の日時である２０１１／２／５  ２１：０１を取得して、「ｅｂｉｓｕｋ」と、この店検索情報の店検索ＩＤである「１００５」と、返信日時としての上記日時を示す情報と、「個室あります。１０％割引します。」とを含む店応答を送信する。
【００６１】
店応答受信手段３２３は、この店応答を受信すると、店応答記憶手段３８０に記憶し、応答ＯＫを返信する。このときの記憶手段３８０は、図１９に示す店応答を記憶しているものとする。店応答送信手段２０３が応答ＯＫを受信すると、図１３に示す返信完了画面が表示される。なお、「ユーザリクエストを見る」ボタン５４１が押下されると、再びユーザリクエスト閲覧画面が表示される。なお、「返信履歴確認」ボタン５４２が押下されたときの動作については後述する。
＜１Ｅ  店からの返信確認＞
さて、片山さんが店の検索結果を待ち受けている間、店検索結果要求送信手段１０４は、１分おきに、自動的に店検索結果要求を送信している。この店検索結果要求は、先ほど送信した店検索情報が含む店検索ＩＤである「１００５」を含む。店応答記憶手段３８０に恵比寿キッチンからの上記店応答が記憶されると、店検索結果要求を受信した店検索結果要求受信手段３１４は、「１００５」の店検索ＩＤを含む上記店応答を所望の店応答として返信するようになる。また、受信手段３１４は、返信するこの店応答が含む店ＩＤである「ｅｂｉｓｕｋ」が識別する店、即ち恵比寿キッチンの店情報を店情報記憶手段３６０から取得して返信するようになる。これら店応答及び店情報を店検索結果要求送信手段１０４が受信すると、これら店応答及び店情報に基づいて、リクエスト閲覧画面が更新される。このときのリクエスト閲覧画面は、図６ｃに示す画面に対応する。
【００６２】
店応答待ち受け画面を参照した片山さんは、返信確認ボタン４１３が「返信０件」から「返信１件」に更新されていることから、店からの返信があったことに気づき、この返信を確認するために、ボタン４１３を押下した。この押下により、図９ａに示す返信確認画面が表示される。希望通りの店であり、更には割引があることに満足した片山さんは、この店に連絡をとるために、「この店に電話」ボタン４６１を選択した。この選択により、ユーザの端末１００は、居酒屋キッチンの電話番号を発信することになる。なお、この例では、片山さんの店の検索に対して１つの店からの返信しかなかったが、更に別の店からの返信があった場合、返信確認画面は、例えば図９ｂに示す画面となる。なお、この場合、図６ｃにおけるボタン４１３は、「返信２件」に更新されることになる。
【００６３】
次に、店のスタッフが、過去に返した店応答の履歴を確認するときの処理について説明する。このとき、店のスタッフは、上述の「返信履歴確認」ボタン５２２又は５４２を押下することになる。なお、以下の説明において、店は「銀座バー」である。
【００６４】
「返信履歴確認」ボタン５２２又は５４２が押下されると、店返信履歴要求送信手段２０４は、店ＩＤである「ｇｉｎｚａｂａｒ」を含む店返信履歴要求を店返信履歴要求受信手段３２４に送信する。このとき、店応答記憶手段３８０に図１９に示す店応答が記憶されているものとすると、受信手段３２４は、「ｇｉｎｚａｂａｒ」を含む店応答１及び２を店応答履歴と判定し、これら店応答を返信する。また、このとき、店検索情報記憶手段３７０に図１８ａに示す店検索情報が記憶されているものとすると、更に、受信手段３２４は、店応答１が含む「１００１」によって識別される店検索情報１と、店応答２が含む「１００２」によって識別される店検索情報２とを記憶手段３７０から取得して返信する。店応答履歴要求送信手段２０４がこれら店応答と店検索情報とを受信すると、図１４に示す店応答履歴確認画面が表示される。
【００６５】
以上で説明した一実施形態は、本願発明の一例にすぎない。本願発明は、特許請求の範囲によってのみ特定され、上述の実施形態の様々な変形例、修正例、又は代替例を含むであろう。
【符号の説明】
【００６６】
１００  ユーザの端末
１０１  ユーザログイン情報送信手段
１０２  店検索情報送信手段
１０３  店検索履歴要求送信手段
１０４  店検索結果要求送信手段
２００  店の端末
２０１  店ログイン情報送信手段
２０２  店検索情報送信手段
２０３  店応答送信手段
２０４  店返信履歴要求送信手段
３００  すぐみせサーバ
３１１  ユーザログイン情報受信手段
３１２  店検索情報受信手段
３１３  店検索履歴要求受信手段
３１４  店検索結果要求受信手段
３２１  店ログイン情報受信手段
３２２  客検索情報受信手段
３２３  店応答受信手段
３２４  店返信履歴要求受信手段
３４０  ユーザアカウント情報記憶手段
３５０  店アカウント情報記憶手段
３６０  店情報記憶手段
３７０  店検索情報記憶手段
３７１  第１の店検索情報記憶手段
３７２  第２の店検索情報記憶手段
３７３  第３の店検索情報記憶手段
３８０  店応答記憶手段
３８１  第１の店応答記憶手段
３８２  第２の店応答記憶手段
４００  ユーザＩＤ表示フィールド
４０１  「ログイン」ボタン
４０２  「会員登録」ボタン
４１１  店検索履歴表示フィールド
４１２  「リクエスト作成」ボタン
４１３  返信確認ボタン
４３１  「現在地から選択」ラジオボタン
４３２  駅名選択ラジオボタン
４３３  駅名入力テキストボックス
４３４  駅名入力テキストボックス
４３５  人数入力テキストボックス
４３６  「いますぐ」選択ラジオボタン
４３７  ｘ分後選択ラジオボタン
４３８  ｘ分後選択入力テキストボックス
４３９  その他の要望入力テキストボックス
４４０  「リクエスト送信」ボタン
４５１  「送信したリクエストを見る」ボタン
４６１  「この店に電話」ボタン
５００  店ＩＤ表示フィールド
５０１  「ログイン」ボタン
５０２  「登録申請」ボタン
５１１  人数の範囲使用選択チェックボックス
５１２  人数の範囲の下限入力テキストボックス
５１３  人数の範囲の上限入力テキストボックス
５１４  時間使用選択チェックボックス
５１５  時間の始点入力テキストボックス
５１６  分後／分前選択コンボボックス
５１７  時間の終点入力テキストボックス
５１８  分後／分前選択コンボボックス
５１９  「リクエスト送信時刻順に表示」チェックボックス
５２０  「来店希望時間順に表示」チェックボックス
５２１  受信した店検索情報数表示フィールド
５２２  「返信履歴確認」ボタン
５２３  「リクエストへ返信」ボタン
５３１  「返信」ボタン
５４１  「ユーザリクエストを見る」ボタン
５４２  「返信履歴確認」ボタン
【図１】
2012181713.tif 000003
【図２】
2012181713.tif 000004
【図３】
2012181713.tif 000005
【図４】
2012181713.tif 000006
【図５】
2012181713.tif 000007
【図６ａ】
2012181713.tif 000008
【図６ｂ】
2012181713.tif 000009
【図６ｃ】
2012181713.tif 000010
【図７】
2012181713.tif 000011
【図８】
2012181713.tif 000012
【図９ａ】
2012181713.tif 000013
【図９ｂ】
2012181713.tif 000014
【図１０】
2012181713.tif 000015
【図１１ａ】
2012181713.tif 000016
【図１１ｂ】
2012181713.tif 000017
【図１１ｃ】
2012181713.tif 000018
【図１２】
2012181713.tif 000019
【図１３】
2012181713.tif 000020
【図１４】
2012181713.tif 000021
【図１５】
2012181713.tif 000022
【図１６】
2012181713.tif 000023
【図１７】
2012181713.tif 000024
【図１８ａ】
2012181713.tif 000025
【図１８ｂ】
2012181713.tif 000026
【図１９】
2012181713.tif 000027